(57)【要約】　　　（修正有）【課題】電線、通信線等のケーブル、また流体などを収容敷設する管体を掴持する抱持部に介在させる弾性シートについて、肉厚の薄い管体、また合成樹脂素材から成る管体などでは、弾性シートの弾性吸収力を越えた緊締力が働いたとき、管体に変形、亀裂が起こり易く、掴持部が弛緩して管体が妄動し、或いは流体が漏れる等、緊密安全な支持が得られなかった。【解決手段】ゴムなどの弾性素材から成るシート体１の片面に、中央を凹状に窪ませた吸着窪部２ａを、その周縁を水平状の外輪縁２ｂに形成した突疣部２を多数一面に突設し、他面を扁平面に形成して成る管体掴持用弾性シートにより、吸着窪部の空洞部がシート体の突疣部面側の弾性を増し、且つ外輪縁とによる吸着作用が働いて妄動を強力に防ぐため、掴持部材で抱持緊締支持するとき、掴持部材による圧縮力を有効に吸収して管体を傷つけることなく緊締し、しかも緊密堅固に掴持することができる。【選択図】　　　図１
2004132532.tif 000002
【特許請求の範囲】
【請求項１】
ゴム、軟質合成樹脂などの弾性素材から成るシート体の片面に、中央に凹状の吸着窪部を形成し、その周縁を水平状の外輪縁とした突疣部を多数一面に突設し、他面を扁平面として成る管体掴持用弾性シート。
【請求項２】
前記シート体は、突疣部面側を軟調の弾性素材で、他面側を比較的硬調の弾性素材で二層構造に一体成形して成る請求項１の管体掴持用弾性シート。
【請求項３】
前記シート体は、一部を刳抜いて開口部とし、該開口部周縁の突疣部側に突条パッキンを突設して成る請求項１の管体掴持用弾性シート。
【請求項４】
前記突条パッキンは、突疣部より少し高く形成して成る請求項３の管体掴持用弾性シート。
【請求項５】
前記シート体は、突条パッキンの外周基部に沿って凹溝部を設けて成る請求項３または４の管体掴持用弾性シート。
【請求項６】
前記シート体は、突疣部面を軟調の弾性素材で、他面側を突条パッキンと共に比較的硬調の弾性素材で二層構造に一体成形して成る請求項３乃至５のいずれか１の管体掴持用弾性シート。
【請求項７】
前記シート体は、周端縁の突疣部側に突疣部と同じ高さの突枠縁を突設して成る請求項１乃至６のいずれか１の管体掴持用弾性シート。
【発明の詳細な説明】
【０００１】
【発明の属する技術分野】
この発明は、配管設置する管体またはその継ぎ目を掴持するに用いる弾性シートに関し、詳しくはケーブル、流体などを収容して配設し、また流動させるべく敷設する配管を、緊密不動に、且つ水密状に支持するために介在させる掴持用弾性シートに関する。
【０００２】
【従来の技術】
この種弾性シートは、ゴムなどの弾性素材から成り、配管設置する管体またはその継ぎ目に巻き添わせ、スリーブ状の掴持部材で抱持緊締して支持することにより、支持部における妄動および流体漏れを防止するもので、従来はシート両面を扁平面としたシートによる弾性シート、さらにはＯリング等を介在させて掴持していた。
【０００３】
また、弾性シートとして、扁平面の両面または片面を凹凸状の粗面に形成し、粗面による摩擦抵抗作用を利用して支持部における妄動および流体漏れを防止してきた。
【０００４】
【発明が解決しようとする課題】
上記のように従来のこの種掴持用弾性シートは、弾性素材そのものの弾発性を利用して締め付け固定するものであるため、掴持部材で抱持緊締される管体の材質および構成によってその強度および剛性が異なることから、肉厚の薄い管体、合成樹脂素材から成る管体など強度および剛性の劣る管体では、掴持部材での過度の抱持緊締力を弾性シート自体の弾性のみでは吸収しきれず、管体を変形または破損させてしまう虞れがあり、流体配管における密着シール性の点でも充分ではなかった。
【０００５】
そのため配設した管体を支持固定するにつき、弾性シートを介在させた掴持部材の抱持締め付けに妄動および流体漏れを起こすことのない緻密な熟練作業が求められると共に、掴持する管体の材質および構成に応じて弾性シートそのものの弾性を硬軟調整して用いる煩雑さをも持っていた。
【０００６】
この発明は上記する管体掴持用弾性シートにおける問題を解決し、ケーブルなどを収容敷設する配管を吊り下げ、または据え置き状に支持し、或いは分岐状に接続する管体掴持部において、掴持される管体を傷めることなく、掴持力を効率よく働かせると共に、これまでＯリングなどの別体の部分シールによる水密（漏出防止）構成であるため、妄動、変形などにより、充分なシール効果が得られなかったことに鑑み、特異な水密構成により緊密な接続分岐構成が簡易に得られる弾性シートを提供することを目的とする。
【０００７】
【課題を解決するための手段】
この発明は管体掴持用弾性シートにおける上記目的を実現するため、ゴム、軟質合成樹脂などの弾性素材から成るシート体の片面に、中央を凹状に窪ませた吸着窪部を、その周縁を水平状の外輪縁に形成した突疣部を多数一面に突設し、他面を扁平面に形成した管体掴持用弾性シートを提案し、突疣部を突設した片面の構成から、該管体掴持用弾性シートの突疣部面を掴持する管体面側にして巻き添わせて介し、扁平面の基板部を掴持部材で抱持緊締支持したとき、突疣部に設けた吸着窪部の空洞部が突疣部の弾性をより豊かにして、一面に木目細かい滑らかな弾発性を付与し、これが掴持部材の緊締による圧縮力を吸収して管体を傷つけることなく、加えて他面の扁平な基板部の弾発性と相まって緊密に掴持することができる。
【０００８】
ことに、突疣部の頂部に形成した吸着窪部の空洞と外輪縁による吸着接面が、掴持部材の緊締力により管体の胴側面に吸いつく状態で密着緊締するため、管体に対し掴持部が妄動することなく堅固に掴持支持することができる。
【０００９】
シート体の一部を刳抜いて形成した開口部の周縁を、突疣部側に突出させて突疣部より少し高い突条パッキンを形成した管体掴持用弾性シートは、後述の既設管体を分岐配管装置により分岐接続するに用いるもので、前記突疣部の弾発性による緊密掴持に加え、シート体の開口部に少し背高の突条パッキンを一体に成形することにより、分岐配管装置の掴持支持部において突条パッキンが強く当接すると共に、パッキン部材の妄動をシート体全体で阻止して管体分岐部の周辺を一連に密着シールするため、管体分岐接続部からの流体漏れを確実に防止する。
【００１０】
シート体の基板部側を突条パッキンと共に硬調の弾性素材で、突疣部側を比較的軟調の弾性素材で形成した二層構造に一体成形して成る管体掴持用弾性シートは、突疣部面の弾発性が一層滑らかとなって、掴持部材の緊締による圧縮力の吸収を効率よく働かせると共に、管体面への吸着力を高めて、管体掴持支持力を更に良くする。
【００１１】
シート体の周端縁に突設した突枠縁は、シート体自体の張り骨となって柔軟な全面を弛みのない張った状態の弾性シートに保持し、ことに周端縁部がウエーブすることなく平板状態の正形を確保することができるため、管体の外側面に緊密に的確に巻き添え介在させて、掴持部材で不動に緊締支持することができる。
【００１２】
【発明の実施の形態】
この発明に係る管体掴持用弾性シートの実施の形態を図１〜８を用いて以下に説明する。
【００１３】
【実施例】
この発明を実施せる管体掴持用弾性シートの一実施例を１〜５を用いて説明すると、図１は管体掴持用弾性シートの一部を示す斜視図、図２は同弾性シートの縦断面図、図３は同弾性シートを用いて掴持支持した管体要部の側面図、図４は同管体要部を縦断して示す拡大正面図、図５は同管体要部における弾性シートの密着作用を示す一部の拡大縦断正面図である。
【００１４】
この弾性シートは、図１，２に示すようにゴム、軟質合成樹脂、その他同等の弾性素材から成るシート体１の片面全面に、中央を凹状に窪ませた吸着窪部２ａと、その周縁を水平状の頂辺とした外輪縁２ｂとから成る短い円柱形の突疣部２を多数突設し、他面全面を扁平面をなす基板部１ｂに一体成形して構成する。
【００１５】
この弾性シートの使用例を図３〜５により説明すると、電気配線などケーブルを収容配設する断面円形をなす管体４，４の継ぎ目胴側に、前記シート体１を突疣部２，２を突設した側を渡し状に巻き添わせ、断面半円形をなす凹受部５ｆ，５ｆを有する一対の掴持部材５ａ，５ａから成る掴持支持部５で前記シート体１の基板部１ｂを外側から抱持して、長さ方向に沿う端辺をボルトナット５ｂとピン５ｃで締結して継合すると共に、掴持部材５ａの吊持部５ｄに吊持杆５ｅを取り付け吊架支持して、管体４，４を順次継合支持し架設する。
【００１６】
このように掴持支持部５に介在する弾性素材から成るシート体１は、その素材そのものの弾性に加え、図５に示すように凹状吸着窪部２ａの空洞部による突疣部２，２の押圧変形作用により、シート体１が掴持支持部５の過度の緊締掴持力をも有効に吸収して管体４に密着し、振動にも管体４の掴持に弛緩および妄動の生じることなく、永く安定した緊密な掴持支持が得られるため、通信線、電気線などのケーブルを収容して配線擁護し、流体を送行させるなどの管体４を堅固に配設支持して、これら通信線などを安全に支持確保するものである。
【００１７】
同時に、突疣部２の吸着窪部２ａの凹状空洞部とその周縁の外輪縁２ｂによる吸着作用により、シート体１の突疣部２，２が管体４面、即ち彎曲面に、図面は省略したが、断面方形または多角形をなす配管では屈曲面および扁平面に吸着して、シート体１が管体４面にズレることなく密着し、掴持部材５ａ，５ａでの緊締掴持力を効率よく働かせることができる。
【００１８】
従って、掴持部材５ａ，５ａによる緊締力で管体４を変形、亀裂させることなく緊密に堅固に掴持支持することができ、ことに電気配線などを収容配設する比較的肉厚の薄い管体４においてその効果は著しく大きい。
【００１９】
なお、上記ではシート体１を管体４，４の継ぎ目に巻き添え掴持吊架する使用例について説明したが、管体４の中間部にシート体１を介在させ掴持吊架して支持することも可能で、また掴持吊架して支持するほか、掴持載架して支持し、或いは掴持埋設することも可能である。
【００２０】
【実施例】
管体掴持用弾性シートの他の実施例を図６〜８を用いて説明すると、図６は管体掴持用弾性シートの一部を示す斜視図、図７は同弾性シート要部の縦断面図、図８は同弾性シートを配管分岐部に装着する分岐配管装置に介在させた状態を示す縦断正面図で、ゴム、軟質合成樹脂、その他同等の弾性素材から成るシート体１の略中央を楕円形に刳抜いて開口部３ａを形成し、該開口部３ａの周縁を片面側に突出させて突条パッキン３を設け、その外周基部に凹状に窪んだ凹溝部３ｂを形成すると共に、この突条パッキン３側の全面に、中央を凹状に窪ませた吸着窪部２ａとその周縁を水平状の頂辺に形成した外輪縁２ｂとから成る短柱形の突疣部２を前記突条パッキン３より少し低く形成して多数突設し、その周縁に突疣部２と同じ高さの突枠縁２ｃを囲繞状に突設し、他面全面を扁平面をなす基板部１ｂに一体成形して管体掴持用弾性シートを構成する。このシート体１の基板部１ｂ面側には突条の突出部１ｃを突設する。
【００２１】
シート体１における突条パッキン３の高さを突疣部２より少し高く形成することにより、管体４の胴側面に突疣部２側を内側にして彎曲させて巻き添えたとき、突条パッキン３部が管体４胴側面に強く密着して水密シール作用が有効に働く。また突枠縁２ｃは枠骨となってシート体１の扁平性を確保し、後述する管体４への巻き添え作業が容易となると共に、シール作用をも為す。
【００２２】
この弾性シートの使用例として、上水道を供給する既設管体４を分岐接続するために装着するサドル本体６ａに分岐部６ｆおよび掴持支持部５を備えて成る分岐配管装置６において、サドル本体６ａの掴持支持部５に弾性シートを用いて掴持固定する例を図７，８により説明すると、ポリエチレンから成る基管の外側に炭素素材から成る被膜層を施した管体４の分岐部分において、断面半円形をなす胴側の上側半分に、シート体１を突疣部２側にして開口部３ａを中央に配し巻き添わせて、サドル本体６ａ内に設けた断面円形をなすシリンダー状の切削ガイド６ｂの中央下壁に、掴持支持部５の断面半円形をなす凹弯面に溝状の嵌合部５ｇを備えた凹受部５ｆを前記切削ガイド６ｂと直交状態に連通すべく設け、この凹受部５ｆにシート体１を巻き添えた前記管体４の分岐部分を嵌め収めて突出部１ｃを嵌合部５ｇに嵌合固定し、管体４胴側の残り下側半分に突疣部２のみを設けたシート体１ａを突疣部２側にして巻き添わせ、その外側を断面半円形をなす凹弯面に透穴状の嵌合部５ｇを有する凹受部５ｆを設けた掴持部材５ａで抱持し、シート体１ａの突出部１ｃを嵌合部５ｇに嵌合固定してボルトナット５ｂ，５ｂで締結することにより、管体４の分岐部分の一部である胴側の上側が、凹受部５ｆの切削ガイド６ｂとの交差口から切削ガイド６ｂ内に直交して入り込んだ状態に掴持固定される。
【００２３】
分岐配管装置６は分岐部６ｆの分岐通路６ｇには開閉操作スピンドル６ｉにて回転する開閉ボール６ｈが装填され、切削ガイド６ｂには先方の開放先端辺を切削刃６ｄに、後方に底部を設けて内部に収納部を有する断面円形をなす有底筒状のカッター６ｃを摺動可能に交差口の手前（後壁側）に装填し、サドル本体６ａの切削ガイド６ｂ後壁に設けたガイドネジに螺合したネジ棒６ｅの先端を前記カッター６ｃの底部に押し当て、後壁から外部に螺出せるネジ棒６ｅの基端に装着せるハンドル（図示省略）を回してネジ棒６ｅを螺進させることにより、前記カッター６ｃが切削ガイド６ｂの壁面に沿って前方に推進し、ねじ込み固定して切削ガイド６ｂの前壁に施蓋状に被せ止めるべく構成し、掴持支持部５におけるシート体１の突条パッキン３はカッター６ｃの螺進により切削開口される分岐部分周辺の管体４胴側面に密着して水密状にシールし、これに続く胴側の他の分岐部分に前記突条パッキン３と一体に突設した突疣部２面側が巻き添い、該突疣部２，２の吸着窪部２ａと外輪縁２ｂによる弾性および吸着作用で一連に密着して掴持支持部５のグリップ力を高め、管体４が水密不動に支持固定される。
【００２４】
管体４にシール体１，１ａを介して掴持装着した分岐配管装置６のカッター６ｃをネジ棒６ｅの螺進により前方（前壁）側に漸次押し進め、断面円形をなす切削刃６ｄの下側で切削ガイド６ｂ内に入り込んでいる管体４の上側を、直交方向にＵ字形に抉り取るように押し切り切削するため、シート体１の突疣部２による前記弾性および吸着作用と相俟って管体４の掴持に弛緩を生じさせることなく、且つ切削屑を発生させることなく分岐開口部４ａを形成することができると共に、掴持支持部５の凹受部５ｆに介着せるシート体１への突条パッキン３の一体化により、管体４の分岐開口部４ａ周辺に妄動することなく密着させることができるため、管体４内の流体（水）は分岐部分から漏れることなく、切削ガイド６ｂから連通口を経て分岐部６ｆの分岐通路６ｇに流入し、管体４の分岐部分から切削分離した切削塊４ｂは切削過程でカッター６ｃ先端の開放空間から収納部へと漸次導き受入れられて収まり、カッター６ｃが凹受部５ｆの交差口を過ぎ進んだ前方において、前壁に伏せ閉じ込めた状態にネジの押圧力で押しやって固定し、ネジ棒６ｅ基端のハンドル（図示省略）を取り外してキャップなどで水密状に閉鎖して分岐接続する。
【００２５】
【実施例】
図６〜８に示すようにシート体１の突条パッキン３の外周基部に形成した凹状に窪んだ凹溝部３ｂは、突条パッキン３の屈撓性を更に良くして彎曲または屈曲変化する管体４胴側面に緊密に添うため、分岐接続部の水密シールがより緻密に確実となる。
【００２６】
【実施例】
図７に示すようにシート体１の突疣部２，２群層を軟調の弾性素材で、基板部１ｂ側層を突条パッキン３と共に比較的硬調の弾性素材で二層構造に一体成形して構成することにより、前記突疣部２，２群面の弾性および吸着作用は一層有効に働くと共に、比較的硬調の基板部１ｂによりシート体１自体を屈撓性ある扁平板状に保つことができるため、管体４への添着作業がし易く、且つ掴持支持部５によるグリップ力を更に高くする。その上、突条パッキン３をシート体１により不動に介在固定することができることと併せ、管体４胴側面への密閉度も高くなり、分岐接続部からの流体漏れを完全に防止することができる。
【００２７】
しかも、突疣部２群面の吸着窪部２ａによる吸着および吸収作用により、従って、掴持支持部５による緊締力で配管４を変形、亀裂させることなく緊密に堅固に掴持支持することができ、ことに合成樹脂などから成る比較的剛性の劣る、例えば上下水道の既設配管４において有効である。
【００２８】
なお、シート体１は突疣部２群側を内側にして管体４の胴側面に巻き添えて用いるものであることから、突条パッキン３の高さを突疣部２より少し高く形成して突条パッキン３による水密性を確実にする構成について説明したが、吸着窪部２ａの空洞部によって収縮する突疣部２群の豊かな弾性を利用することにより、突条パッキン３の高さが突疣部２と同等であっても充分その作用効果は得られるものである。
【００２９】
以上説明した各実施例ではシート体１の突疣部２の外輪縁２ｂおよび突枠縁２ｃ並びに突条パッキン３の各頂辺は扁平面に形成して説明しているが、その頂辺を偏りのない水平状に形成する構成であれば、断面半円形、または断面角錐状の三角をなす突疣部２の外輪縁２ｂおよび突枠縁２ｃ並びに突条パッキン３であっても水平状に均等した接面が得られ、突疣部２にあっては吸着作用が得られるため、当然この発明の実施に含まれるもので、突疣部２の形状についても説明した円形のほか、方形、長方形、菱形、三角形その他の多角形、楕円形、長円形、瓢箪形など任意のパターンの柱形または台形に突出形成することができるものである。
【００３０】
また、シート体１の開口部３ａについても、前記実施例では楕円形に刳抜いたものについて説明したが、その他円形、長円形、方形、瓢箪形など任意形状に形成し、これに応じて突条パッキン３を突設するものである。
【００３１】
【発明の効果】
この発明の管体掴持用弾性シートは上記で説明した構成から成り、シート体面に突設した突疣部の吸着窪部による豊かな弾発作用、さらに吸着作用によって、掴持部での過度の緊締力を吸収して管体の胴側面に密着して掴持し、管体へのグリップ力を効率よく働かせることができるため、掴持支持部において管体を変形、亀裂などを起こさせることなく、且つ振動にも掴持に緩みの生じることなく堅固に掴持固定して支持することができる。
【００３２】
シート体に設けた突条パッキンは、前記突疣部の弾発および吸着作用と相俟って、掴持支持部において不動に緊締支持されたシート体と一体となって、既設管体の分岐開口部周辺に囲繞状態に圧着し、不動不変の緊密シール状態を維持することができるため、分岐開口（接続）部からの流体の漏れ出ることを確実に永く防止することができる。
【図面の簡単な説明】
【図１】この発明を実施せる管体掴持用弾性シートの一部を示す斜視図である。
【図２】図１の管体掴持用弾性シートを縦断して示す側面図である。
【図３】図１の管体掴持用弾性シートを用いて掴持支持した配管要部の側面図である。
【図４】図３の掴持支持部を縦断して示す拡大正面図である。
【図５】図４の掴持支持部の一部を拡大して示す断面図である。
【図６】この発明に係る管体掴持用弾性シートの他の実施例を示す一部の斜視図である。
【図７】図６の管体掴持用弾性シートの要部を縦断して示す側面図である。
【図８】図６の管体掴持用弾性シートを用いて既設配管の分岐部分に掴持支持した分岐配管装置要部の縦断正面図である。
【符号の説明】
１　　　シート体
２　　　突疣部
２ａ　　吸着窪部
２ｂ　　外輪縁
２ｃ　　突枠縁
３　　　突条パッキン
３ａ　　開口部
３ｂ　　凹溝部
【図１】
2004132532.tif 000003
【図２】
2004132532.tif 000004
【図３】
2004132532.tif 000005
【図４】
2004132532.tif 000006
【図５】
2004132532.tif 000007
【図６】
2004132532.tif 000008
【図７】
2004132532.tif 000009
【図８】
2004132532.tif 000010